(57)【要約】【課題】動作状態を確認できる画像表示装置を提供すること。【解決手段】入力される画像情報に応じた画像を表示する画像表示装置１は、当該画像表示装置１全体を制御する主制御系４１、および、主制御系４１と双方向通信して、当該主制御系４１を補助する副制御系４５を有する制御手段４と、副制御系４５に電気的に接続され、主制御系４１の動作状態を報知する報知手段５４，５５とを備える。このうち、副制御系４５は、主制御系４１の状態遷移時に、当該主制御系４１の動作状態を報知手段５４，５５に報知させる報知信号を生成する信号生成部と、生成された報知信号を報知手段に出力する信号出力部とを備える。これによれば、主制御系４１の状態遷移を報知手段により報知することができる。【選択図】  図１
2006301300.tif 000002
【特許請求の範囲】
【請求項１】
入力される画像情報に応じた画像を表示する画像表示装置であって、
当該画像表示装置全体を制御する主制御系、および、前記主制御系と双方向通信して、当該主制御系を補助する副制御系を有する制御手段と、前記副制御系に電気的に接続され、前記主制御系の動作状態を報知する報知手段とを備え、
前記副制御系は、
前記主制御系の状態遷移時に、当該主制御系の動作状態を前記報知手段に報知させる報知信号を生成する信号生成部と、
生成された前記報知信号を前記報知手段に出力する信号出力部とを備えることを特徴とする画像表示装置。
【請求項２】
請求項１に記載の画像表示装置において、
前記主制御系の状態遷移は、当該主制御系の停止状態から起動状態への遷移、および、起動状態から停止状態への遷移のうち少なくともいずれかであることを特徴とする画像表示装置。
【請求項３】
請求項１または請求項２に記載の画像表示装置において、
前記主制御系は、起動状態に遷移し終えると、当該主制御系の動作状態を、前記副制御系を介して前記報知手段により報知させることを特徴とする画像表示装置。
【請求項４】
請求項１から請求項３のいずれかに記載の画像表示装置において、
前記信号生成部は、前記主制御系の遷移状態に応じた報知信号を生成することを特徴とする画像表示装置。
【請求項５】
請求項４に記載の画像表示装置において、
前記主制御系の動作状態に対応した報知信号が記憶された記憶手段を備え、
前記信号生成部は、前記記憶手段を参照して前記主制御系の遷移状態に応じた報知信号を選択して生成することを特徴とする画像表示装置。
【発明の詳細な説明】
【技術分野】
【０００１】
本発明は、入力される画像情報に応じた画像を表示する画像表示装置に関する。
【背景技術】
【０００２】
従来、入力される画像情報に応じた画像を形成表示する画像表示装置が知られている。このような画像表示装置として、光源ランプと、この光源ランプから射出された光束を画像情報に応じて変調して光学像を形成する光変調装置と、形成された光学像を拡大投射する投射レンズと、これらを含む装置全体を制御する制御手段とを備えたプロジェクタが知られている。
【０００３】
このようなプロジェクタは、光源ランプの破損や高温時には正常に動作しなくなるが、当該光源ランプは、プロジェクタの内部に収納されているので、使用者にとっては、いかなる理由でプロジェクタが正常動作しないのかを確認しづらいという問題があった。
このような問題に対して、光源ランプの破損時や高温時に、当該光源ランプの状態をＬＥＤ（Light Emitting Diode）にて表示するプロジェクタ（投射型表示装置）が知られている（例えば、特許文献１参照）。
【０００４】
この特許文献１に記載のプロジェクタは、光源ランプに供給される電力を検出する電力検出回路、当該光源ランプ近傍の温度を検出する温度検出回路、および、これらと電気的に接続されたシステムコントローラを備えている。そして、電力検出回路から入力する点灯不点灯検出信号、および、温度検出回路から入力する温度検出信号をシステムコントローラが判定し、当該システムコントローラが異常を検出した場合には、当該システムコントローラに接続された破損表示用のＬＥＤまたは不点灯表示用のＬＥＤを点灯させ、使用者に光源ランプの点灯異常を報知するように構成されている。これにより、使用者は、光源ランプの不点灯理由を確認することができる。
【０００５】
【特許文献１】特開２００３−１９５４１８号公報
【発明の開示】
【発明が解決しようとする課題】
【０００６】
しかしながら、特許文献１に記載されているプロジェクタでは、当該プロジェクタの内部の動作状態を確認することができないという問題がある。
すなわち、プロジェクタは、ＣＰＵ（Central Processing Unit）等を有し、これらにより装置全体を制御する主制御部を備える構成が一般的であるが、この主制御部の起動中等の状態遷移時には、使用者がリモコン等に設けられたボタンの入力操作を行った場合でも、当該入力操作に応じたプロジェクタの制御を主制御部が実行することは困難であり、使用者は、当該入力操作をプロジェクタが受け付けない理由を知ることができない。このため、使用者にとっては、入力操作を行ったにも関らず当該入力操作に応じたプロジェクタの動作が行われないため、不要な混乱を生ずるという問題がある。
【０００７】
本発明の目的は、動作状態を確認できる画像表示装置を提供することである。
【課題を解決するための手段】
【０００８】
前記した目的を達成するために、本発明の画像表示装置は、入力される画像情報に応じた画像を表示する画像表示装置であって、当該画像表示装置全体を制御する主制御系、および、前記主制御系と双方向通信して、当該主制御系を補助する副制御系を有する制御手段と、前記副制御系に電気的に接続され、前記主制御系の動作状態を報知する報知手段とを備え、前記副制御系は、前記主制御系の状態遷移時に、当該主制御系の動作状態を前記報知手段に報知させる報知信号を生成する信号生成部と、生成された前記報知信号を前記報知手段に出力する信号出力部とを備えることを特徴とする。
【０００９】
ここで、報知手段としては、文字・図形等の画像を表示可能な液晶パネル、ＬＥＤおよび有機ＥＬ等の発光素子、並びに、入力信号に応じた音声を出力するスピーカおよびブザー等を例示することができる。
【００１０】
本発明によれば、報知手段により、画像表示装置全体を制御する主制御系が遷移状態にあることが報知されるので、使用者が画像表示装置の内部の動作状態を確認することができる。
すなわち、主制御系を補助する副制御系の信号生成部が、当該主制御系が状態遷移した場合に、当該状態遷移を報知手段によって報知させる報知信号を生成し、当該生成した報知信号を、副制御系の信号出力部が報知手段に出力する。また、報知手段は、当該報知信号の入力に応じて、主制御系の動作状態を報知する。これによれば、副制御系の信号生成部が、主制御系の状態遷移に応じて報知信号生成を行い、当該副制御系の信号出力部が、生成された報知信号を報知手段に出力することにより、報知手段は、主制御系の状態遷移に応じた報知を行うことができる。従って、報知手段による報知によって、使用者に、画像表示装置全体を制御する主制御系の動作状態を、確実に通知することができる。
【００１１】
本発明では、前記主制御系の状態遷移は、当該主制御系の停止状態から起動状態への遷移、および、起動状態から停止状態への遷移のうち少なくともいずれかであることが好ましい。
本発明によれば、画像表示装置に対する入力操作を許容しない主制御系の動作状態を確実に確認することができる。
すなわち、副制御系の信号生成部が信号生成するトリガーとなる主制御系の状態遷移は、停止状態から起動状態への遷移、および、起動状態から停止状態への遷移の少なくともいずれかとされている。ここで、主制御系の停止状態から起動状態への状態遷移中は、当該主制御系は、初期化等の起動処理を実行しているため、リモコン等から画像表示装置を動作させる制御信号が入力した場合でも、主制御系は、当該制御信号に応じた制御を実行することが難しい。また、起動状態から停止状態への状態遷移中においても、主制御系は、設定保存等の停止処理を実行しているため、入力する制御信号に応じた制御を実行することが難しい。このような状態遷移中の主制御系の動作状態を報知手段により報知することにより、入力操作に応じた制御を主制御系が実行できない理由を使用者が確認することができる。従って、より詳細な画像表示装置の動作状態を確認することができる。
【００１２】
本発明では、前記主制御系は、起動状態に遷移し終えると、当該主制御系の動作状態を、前記副制御系を介して前記報知手段により報知させることが好ましい。
本発明によれば、停止状態から起動状態に遷移し終えた主制御系が、当該副制御系を介して、報知手段に当該主制御系の動作状態を報知させる。すなわち、起動状態となった主制御系は、画像表示装置を動作させる制御信号の受付を許容する状態になったことを、副制御系を介して報知手段によって報知させる。これによれば、使用者に、主制御系が動作可能な状態に遷移したことを迅速かつ確実に報知することができる。従って、入力する制御信号に応じた制御を実行可能な動作状態に主制御系が遷移したことを、使用者が確実に把握することができる。
【００１３】
本発明では、前記信号生成部は、前記主制御系の遷移状態に応じた報知信号を生成することが好ましい。
このような場合、前記主制御系の動作状態に対応した報知信号が記憶された記憶手段を備え、前記信号生成部は、前記記憶手段を参照して前記主制御系の遷移状態に応じた報知信号を選択して生成することが好ましい。
本発明によれば、副制御系の信号生成部が記憶手段を参照して、主制御系の遷移状態に応じた報知信号を生成し、当該報知信号は、前述の信号出力部により報知手段に出力される。これによれば、副制御系の信号生成部は、報知手段に応じて記憶手段に記憶された報知信号を簡易に生成することができる。すなわち、信号生成部が記憶手段に記憶された報知信号を選択して生成する場合、予め記憶手段に報知信号の内容が規定されているので、副制御系の処理を軽減することができる。
また、信号生成部が、主制御系の遷移状態に応じた報知信号の生成を行うことにより、当該報知信号が入力した報知手段によって、当該主制御系の動作状態に応じた報知を行うことができる。従って、主制御系の動作状態をより詳細に使用者に報知することができる。
【発明を実施するための最良の形態】
【００１４】
以下、本発明の一実施形態を図面に基づいて説明する。
（１）プロジェクタ１の構成
図１は、本実施形態に係るプロジェクタ１の内部構成を示すブロック図である。
プロジェクタ１は、本発明の画像表示装置に相当し、入力する画像情報に応じた光学像を形成し、図示しないスクリーンに拡大投射するものである。また、このプロジェクタ１は、入力する音声情報に応じた音声も出力可能に構成されている。
このプロジェクタ１は、図１に示すように、光学像を形成する光学ユニット２と、光学ユニット２を構成する光源ランプ２１１Ａの駆動を制御する光源駆動回路３と、スピーカ５１、リモコンインターフェース（以下、「リモコンＩＦ」と略す場合がある）５２、操作パネル５３、状態表示部５４およびブザー５５と、これら各装置と電気的に接続される制御基板４と、各装置に駆動電力を供給する電源ユニット（図示省略）とを備えて構成されている。
【００１５】
このうち、光源駆動回路３は、図示しない電源ユニットから供給される直流電流を整流、変圧して、交流矩形波電流を発生させ、当該交流矩形波電流を光源ランプ２１１Ａに供給して、当該光源ランプ２１１Ａを点灯させる回路基板である。この光源駆動回路３は、後述する制御基板４に電気的に接続され、当該制御基板４を構成する主制御部４１から入力する制御信号に応じて、光源ランプ２１１Ａの点消灯および輝度制御を行う。
また、光源駆動回路３は、詳しい図示を省略するが、光源ランプ２１１Ａに印加する電圧レベルを検出する電圧検出センサと、光源ランプ２１１Ａの温度を検出する温度検出センサとを備えており、これら電圧検出センサおよび温度検出センサによる検出結果を後述する制御基板４に出力する。
【００１６】
スピーカ５１は、後述する制御基板４の主制御部４１に接続され、当該主制御部４１から入力する音声信号に応じた音声を出力する。
リモコンＩＦ５２および操作パネル５３は、後述する制御基板４のシステムコントローラ４５に電気的に接続されている。このうち、リモコンＩＦ５２は、プロジェクタ１を遠隔操作するリモコン６からの赤外線信号を受信して、当該赤外線信号を内部処理可能な制御信号に変換し、当該制御信号をシステムコントローラ４５に出力する。また、操作パネル５３は、プロジェクタ１の外面に設けられ、当該プロジェクタ１を操作するための複数の操作スイッチを備えている。そして、この操作パネル５３は、当該操作スイッチの入力に応じた制御信号をシステムコントローラ４５に出力する。
【００１７】
状態表示部５４およびブザー５５は、本発明の報知手段に相当し、後述する制御基板４のシステムコントローラ４５による制御下で、制御基板４の主制御部４１の動作状態を、発光および音声により報知する。具体的には、状態表示部５４およびブザー５５は、システムコントローラ４５から入力する制御信号に応じて、発光および音声出力を行う。
このうち、状態表示部５４は、複数のＬＥＤを備え、本実施形態では、図示を省略するが、赤色光および緑色光を発光する２つのＬＥＤが用いられている。また、ブザー５５は、システムコントローラ４５から入力する制御信号に応じた音声の出力が可能に構成されている。
【００１８】
（２）光学ユニット２の構成
図２は、光学ユニット２の光学系を説明する模式図である。
光学ユニット２は、光源装置から射出された光束を画像情報に応じて変調して光学像を形成し、スクリーン等の投射面上に投射画像を形成するものである。この光学ユニット２は、図２に示すように、インテグレータ照明光学系２１と、色分離光学系２２と、リレー光学系２３と、光変調装置および色合成光学装置を一体化した電気光学装置２４と、投射レンズ２５と、光学部品２１，２２，２３，２４を収納配置する光学部品用筐体（図示省略）とに機能的に大別される。
【００１９】
インテグレータ照明光学系２１は、光源から射出された光束の照明光軸直交面内における照度を均一にするための光学系である。このインテグレータ照明光学系２１は、光源装置２１１、第１レンズアレイ２１２、第２レンズアレイ２１３、偏光変換素子２１４、および重畳レンズ２１５を備えて構成されている。
【００２０】
光源装置２１１は、放射光源としての光源ランプ２１１Ａ、リフレクタ２１１Ｂ、およびリフレクタ２１１Ｂの光束射出面を覆う防爆ガラス２１１Ｃを備えている。そして、光源ランプ２１１Ａから射出された放射状の光束は、リフレクタ２１１Ｂで反射されて略平行光束とされ、外部へと射出される。
なお、本実施形態では、光源ランプ２１１Ａとして、高圧水銀ランプを採用しているが、これに限らず、例えばメタルハライドランプやハロゲンランプ等を採用してもよい。また、リフレクタ２１１Ｂとして放物面鏡を採用しているが、これに限らず、楕円面鏡からなるリフレクタの射出面に平行化凹レンズを配置した構成を採用してもよい。
【００２１】
第１レンズアレイ２１２は、照明光軸方向から見てほぼ矩形状の輪郭を有する小レンズがマトリクス状に配列された構成を具備している。各小レンズは、光源ランプ２１１Ａから射出された光束を複数の部分光束に分割し、照明光軸方向に射出する。
第２レンズアレイ２１３は、第１レンズアレイ２１２と略同様の構成であり、小レンズがマトリクス状に配列された構成を具備する。この第２レンズアレイ２１３は、重畳レンズ２１５とともに、第１レンズアレイ２１２の各小レンズの像を電気光学装置２４の後述する液晶パネル２４１Ｒ，２４１Ｇ，２４１Ｂ上に結像させる機能を有する。
【００２２】
偏光変換素子２１４は、第２レンズアレイ２１３からの光を略１種類の直線偏光に変換するものであり、これにより、電気光学装置２４での光の利用効率が高められている。
具体的に、偏光変換素子２１４によって略１種類の直線偏光に変換された各部分光束は、重畳レンズ２１５によって最終的に電気光学装置２４の後述する液晶パネル２４１（２４１Ｒ，２４１Ｇ，２４１Ｂ）上にほぼ重畳される。偏光光を変調するタイプの液晶パネルを用いたプロジェクタでは、１種類の偏光光しか利用できないため、ランダムな偏光光を発する光源ランプ２１１Ａからの光束の略半分が利用されない。このため、偏光変換素子２１４を用いて、光源ランプ２１１Ａから射出された光束を略１種類の偏光光に変換することにより、電気光学装置２４における光の利用効率を高めている。なお、このような偏光変換素子２１４は、例えば、特開平８−３０４７３９号公報に紹介されている。
【００２３】
色分離光学系２２は、２枚のダイクロイックミラー２２１，２２２と、反射ミラー２２３とを備える。インテグレータ照明光学系２１から射出された複数の部分光束は、２枚のダイクロイックミラー２２１，２２２により赤（Ｒ）、緑（Ｇ）、青（Ｂ）の３色の色光に分離される。
リレー光学系２３は、入射側レンズ２３１と、一対のリレーレンズ２３３と、反射ミラー２３２，２３５とを備えている。このリレー光学系２３は、色分離光学系２２で分離された色光である青色光を、電気光学装置２４の後述する液晶パネル２４１Ｂまで導く機能を有している。
【００２４】
この際、色分離光学系２２のダイクロイックミラー２２１では、インテグレータ照明光学系２１から射出された光束のうち、緑色光成分と青色光成分とは透過し、赤色光成分は反射する。ダイクロイックミラー２２１によって反射した赤色光は、反射ミラー２２３で反射し、フィールドレンズ２１９を通って、赤色用の液晶パネル２４１Ｒに到達する。このフィールドレンズ２１９は、第２レンズアレイ２１３から射出された各部分光束をその中心軸（主光線）に対して平行な光束に変換する。他の液晶パネル２４１Ｇ，２４１Ｂの光入射側に設けられたフィールドレンズ２１９も同様である。
【００２５】
また、ダイクロイックミラー２２１を透過した青色光と緑色光のうちで、緑色光は、ダイクロイックミラー２２２によって反射し、フィールドレンズ２１９を通って、緑色光用の液晶パネル２４１Ｇに到達する。一方、青色光は、ダイクロイックミラー２２２を透過してリレー光学系２３を通り、さらにフィールドレンズ２１９を通って、青色光用の液晶パネル２４１Ｂに到達する。
なお、青色光にリレー光学系２３が用いられているのは、青色光の光路の長さが他の色光の光路の長さよりも長いため、光の発散等による光の利用効率の低下を防止するためである。すなわち、入射側レンズ２３１に入射した部分光束をそのまま、フィールドレンズ２１９に伝えるためである。なお、リレー光学系２３には、３つの色光のうちの青色光を通す構成としたが、これに限らず、例えば、赤色光または緑色光を通す構成としてもよい。
【００２６】
電気光学装置２４は、入射された光束を画像情報に応じて変調してカラー画像を形成する。この電気光学装置２４は、色分離光学系２２で分離された各色光が入射する３つの入射側偏光板２４２と、この入射側偏光板２４２の後段に配置される光変調装置としての液晶パネル２４１（２４１Ｒ，２４１Ｇ，２４１Ｂ）および射出側偏光板２４４と、色合成光学装置としてのクロスダイクロイックプリズム２４５とを備える。
【００２７】
液晶パネル２４１Ｒ，２４１Ｇ，２４１Ｂは、本実施形態の画像表示部として構成されるものであり、例えば、ポリシリコンＴＦＴをスイッチング素子として用いたものであり、対向配置される一対の透明基板内に液晶が密封封入されている。そして、これら液晶パネル２４１Ｒ，２４１Ｇ，２４１Ｂは、入射側偏光板２４２を介して入射する光束を画像情報に応じて変調して射出する。
【００２８】
入射側偏光板２４２は、色分離光学系２２で分離された各色光のうち、一定方向の偏光光のみ透過させ、その他の光束を吸収するものであり、サファイアガラス等の基板に偏光膜が貼付されたものである。
また、射出側偏光板２４４も、入射側偏光板２４２と略同様に構成され、液晶パネル２４１Ｒ，２４１Ｇ，２４１Ｂから射出された光束のうち、所定方向の偏光光のみを透過させ、その他の光束を吸収するものであり、透過させる偏光光の偏光軸は、入射側偏光板２４２における透過させる偏光光の偏光軸に対して直交するように設定されている。
【００２９】
クロスダイクロイックプリズム２４５は、射出側偏光板２４４から射出され、色光毎に変調された光学像を合成して、カラー画像を形成するものである。このクロスダイクロイックプリズム２４５には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３０】
投射レンズ２５は、クロスダイクロイックプリズム２４５で合成された光学像を拡大投射する投射光学系としての機能を具備するものであり、鏡筒内部に複数のレンズが収納された組レンズとして構成されている。
【００３１】
（３）制御基板４の構成
制御基板４は、本発明の制御手段に相当し、光学ユニット２を含むプロジェクタ１全体を制御する回路基板として構成されている。
この制御基板４は、図１に示すように、主制御部４１、液晶パネル制御回路４２、ＲＯＭ４３、ＲＡＭ４４およびシステムコントローラ４５を備えて構成され、これらがバスＢを介して接続されている。
【００３２】
主制御部４１は、制御基板４全体を制御するものであり、ひいては、プロジェクタ１全体の駆動を制御する本発明の主制御系に相当する。この主制御部４１は、例えば、後述するシステムコントローラ４５を介してリモコンインターフェース５２から入力する制御信号を処理して、光源駆動回路３等のプロジェクタ１の構成装置に制御信号を出力し、これらの駆動を制御する。
また、主制御部４１は、図示しない画像情報入力端子および音声情報入力端子と電気的に接続され、これら画像情報入力端子および音声情報入力端子から入力する画像情報および音声情報を処理する。具体的には、主制御部４１は、入力した音声情報をデコードして、当該音声情報に基づく音声信号を生成し、前述のスピーカ５１に出力する。また、主制御部４１は、入力した画像情報をデコードして、再生可能な１フレームごとの画像信号を生成し、当該画像信号を液晶パネル制御回路４２に出力する。
さらに、主制御部４１は、光源駆動回路３と通信して、光源ランプ２１１Ａの点灯制御および輝度制御を行うほか、当該光源ランプ２１１Ａの点灯状態を監視する。
液晶パネル制御回路４２は、主制御部４１から入力する画像信号に基づいて、光学ユニット２の液晶パネル２４１を駆動して画像を形成させる。
【００３３】
ＲＯＭ４３は、本発明の記憶手段に相当し、主制御部４１で処理されるプログラムや、当該プログラムの実行時に利用される各種データが記憶されたフラッシュメモリである。具体的に、このようなプログラムとしては、プロジェクタ１の装置全体を制御する制御プログラム、主制御部４１の起動時および停止時に処理される起動プログラムおよび終了プログラム、並びに、後述する状態報知処理を実行する状態報知プログラム等が挙げられる。また、データとしては、画像として形成表示されるＯＳＤ（On Screen Display）メニューのテンプレート画像、後述する状態報知処理で参照される報知信号テーブル、および、プロジェクタ１の起動モード等が挙げられる。このＲＯＭ４３に記憶されたプログラムおよびデータ等は、後述するアップデートモードにおいて、書換可能とされている。なお、報知信号テーブルについては、後に詳述する。
ＲＡＭ４４は、ＲＯＭ４３に記憶されたプログラムや各種データが、主制御部４１で利用される際に、一時的に記憶される。
【００３４】
図３は、システムコントローラ４５の機能分類を示すブロック図である。
システムコントローラ４５は、本発明の副制御系に相当し、制御基板４における処理を補助するものであり、一方で、制御基板４のデータ入出力を制御する。
また、システムコントローラ４５は、前述のリモコンインターフェース５２、操作パネル５３、状態表示部５４およびブザー５５に接続され、当該リモコンインターフェース５２を介してリモコン６から入力する制御信号、および、操作パネル５３に配設された操作スイッチの入力に応じた制御信号を、主制御部４１に出力する。
このシステムコントローラ４５は、以上のような機能を有する他に、図３に示すように、状態判定部４５１と、信号生成部４５２と、信号出力部４５３と、起動／停止実行部４５４とを機能的に備えて構成されている。
【００３５】
状態判定部４５１は、主制御部４１の動作状態、および、当該主制御部４１からの信号に基づいて、プロジェクタ１の動作状態を判定する。具体的には、状態判定部４５１は、主制御部４１と双方向通信し、当該主制御部４１から入力する状態信号を判定して、主制御部４１の動作状態および光源ランプ２１１Ａの点灯状態を表すステータス値の設定を行う。このステータス値は、状態判定部４５１によりＲＡＭ４４に一時的に記憶される。なお、このステータス値については、後述する報知信号テーブルの説明時に詳述する。
信号生成部４５２は、状態判定部４５１で判定された主制御部４１の動作状態に応じて、状態表示部５４およびブザー５５に出力する報知信号を生成する。具体的には、状態判定部４５１により設定されたステータス値に基づいて、ＲＯＭ４３に記憶された報知信号テーブルを参照して、当該報知信号テーブルに設定された状態表示部５４用の報知信号の内容情報、および、ブザー５５用の報知信号の内容情報に基づく報知信号を生成する。
信号出力部４５３は、信号生成部４５２により生成された報知信号を、報知手段としての状態表示部５４およびブザー５５に出力する。
起動／停止実行部４５４は、主制御部４１の起動および停止を指示する起動信号および停止信号を生成して、当該生成した信号を主制御部４１に出力する。すなわち、システムコントローラ４５は、主制御部４１の起動および停止も制御している。
【００３６】
（４）プロジェクタ１の状態遷移
図４は、プロジェクタ１の動作状態を説明する状態遷移図である。なお、図４においては、システムコントローラ４５をＳＣと省略して図示する。また、ＬＥＤは、状態表示部５４に設けられたＬＥＤを示しており、当該ＬＥＤの消灯および点灯時の発色状態が示されている。
プロジェクタ１は、電源の供給状態や、主制御部４１の動作状態および光源ランプ２１１Ａの点灯状態等によって、図４に示す６つの動作状態に遷移する。
【００３７】
このうち、無通電状態、すなわち、プロジェクタ１に対して電力供給が行われていない状態では、プロジェクタ１のシステムコントローラ４５および主制御部４１は、駆動電力を得ることができないので停止状態となっており、また、光源ランプ２１１Ａおよび状態表示部５４のＬＥＤは消灯されている。
この無通電状態のプロジェクタ１は、当該プロジェクタ１に設けられた図示しない電源ケーブルがコンセントに接続され電力供給が開始された場合に、スタンバイモードＡまたはスタンバイモードＢのいずれかの状態に遷移する。このスタンバイモードＡおよびスタンバイモードＢのいずれかでプロジェクタ１を起動するかは、使用者が適宜設定することができ、当該設定状態は、起動モードとしてＲＯＭ４３に記憶される。
【００３８】
スタンバイモードＡは、省電力起動モードであり、この状態では、システムコントローラ４５が起動しているものの主制御部４１は停止状態となっており、光源ランプ２１１Ａも消灯している。また、このスタンバイモードＡでは、状態表示部５４のＬＥＤは、システムコントローラ４５の制御により橙（オレンジ）色の点灯表示がなされる。
このスタンバイモードＡにおいて電源スイッチが入力されると、プロジェクタ１は、ノーマルモードに遷移する。すなわち、スタンバイモードＡで電源スイッチが入力されると、システムコントローラ４５の起動／停止実行部４５４が主制御部４１に起動信号を出力して、当該主制御部４１を起動させる。この後、主制御部４１は、光源駆動回路３に光源点灯信号を出力して、光源ランプ２１１Ａを点灯させる。この光源ランプ２１１Ａの点灯が安定すると、主制御部４１は、システムコントローラ４５を介して状態表示部５４に制御信号を出力してＬＥＤを緑色点灯させる。これにより、プロジェクタ１はノーマルモードに遷移する。
【００３９】
また、スタンバイモードＢは、主制御部４１およびシステムコントローラ４５がそれぞれ起動し、光源ランプ２１１Ａが消灯した状態である。このスタンバイモードＢにおいて、電源スイッチが入力されると、主制御部４１が光源駆動回路３を介して光源ランプ２１１Ａを点灯させることにより、プロジェクタ１はノーマルモードに遷移する。なお、このスタンバイモードＢでは、状態表示部５４のＬＥＤは、緑色点滅とされる。
【００４０】
ノーマルモードでは、主制御部４１およびシステムコントローラ４５のそれぞれが起動し、光源ランプ２１１Ａの点灯が安定した状態である。このノーマルモードでは、状態表示部５４のＬＥＤは、前述のように、緑色点灯とされている。このノーマルモードに遷移することにより、プロジェクタ１は画像投射が可能となる。このノーマルモードにおいて、電源スイッチがオフされると、遷移元の状態に遷移する。すなわち、スタンバイモードＡからノーマルモードに遷移した場合は、電源スイッチがオフされるとスタンバイモードＡに遷移し、スタンバイモードＢからノーマルモードに遷移した場合は、電源がオフされると、ノーマルモードからスタンバイモードＢに遷移する。
このノーマルモードで光源ランプ２１１Ａの破損や点灯不良、および、制御基板４における不具合が生じた場合には、光源ランプ２１１Ａが消灯し、主制御部４１が停止され、プロジェクタ１はエラーモードに遷移する。このエラーモードにおける状態表示部５４のＬＥＤは、赤色点灯とされている。このエラーモードにおいて、図示しないリセットスイッチが入力された場合には、プロジェクタ１は、リセット処理を行い、システムコントローラ４５がＲＯＭ４３に記憶された起動モードを参照して、前述のスタンバイモードＡまたはスタンバイモードＢに遷移する。
【００４１】
無通電状態から、プロジェクタ１に設けられた図示しないアップデートスイッチが入力された状態で電力供給が開始されると、プロジェクタ１は、ＲＯＭ４３等に記憶されたプログラムやデータの更新を可能とするアップデートモードに遷移する。
このアップデートモードでは、スタンバイモードＢと同様に、システムコントローラ４５および主制御部４１が起動し、光源ランプ２１１Ａが消灯している動作状態である。この状態における状態表示部５４のＬＥＤは、緑色点滅とされる。なお、このアップデートモードにおいて、リセットスイッチが入力された場合には、プロジェクタ１は、リセット処理を行い、システムコントローラ４５がＲＯＭ４３に記憶された起動モードを参照して、スタンバイモードＡまたはスタンバイモードＢに遷移する。
【００４２】
（５）状態表示部５４の点灯状態
図５は、状態遷移時の状態表示部５４のＬＥＤの点灯状態を示す図である。具体的に、図５（Ａ）は、起動時の状態表示部５４のＬＥＤの点灯状態を示す図であり、図５（Ｂ）は、停止時の状態表示部５４のＬＥＤの点灯状態を示す図である。
以下に、主制御部４１の状態遷移時における状態表示部５４のＬＥＤの点灯状態について説明する。
状態表示部５４のＬＥＤは、前述の無通電状態からスタンバイモードＡに遷移する場合は、図５（Ａ）に示すように、電力供給の開始に伴ってシステムコントローラ４５の制御により、橙（オレンジ）色に点灯する。この後、使用者により電源スイッチがオンされると、状態表示部５４のＬＥＤは、システムコントローラ４５の制御により、主制御部４１の起動処理開始に伴って赤色点灯する。ここで、主制御部４１の起動が完了し、光源ランプ２１１Ａの点灯が開始されると、ＬＥＤは、主制御部４１の制御により、緑色点滅する。また、光源ランプ２１１Ａの点灯が安定した場合には、ＬＥＤは、主制御部４１の制御により、緑色点滅から緑色点灯に変化する。この状態では、プロジェクタ１は、スタンバイモードＡからノーマルモードに遷移している。
【００４３】
また、無通電状態からスタンバイモードＢに遷移する場合は、状態表示部５４のＬＥＤは、電力供給の開始から主制御部４１の起動が完了するまで赤色点灯する。このＬＥＤの赤色点灯は、システムコントローラ４５の制御によって行われる。主制御部４１の起動が完了すると、ＬＥＤは、主制御部４１の制御により緑色点滅する。この状態で、使用者により電源スイッチがオンされると、主制御部４１の制御により、光源ランプ２１１Ａの点灯が開始される。そして、光源ランプ２１１Ａの点灯が安定化すると、ＬＥＤは、主制御部４１の制御により緑色点灯する。この状態では、プロジェクタ１は、スタンバイモードＢからノーマルモードに遷移している。
【００４４】
一方、プロジェクタ１がノーマルモードからスタンバイモードＡまたはスタンバイモードＢを介して無通電状態に遷移する場合には、状態表示部５４のＬＥＤは、以下のように点灯状態が変化する。
ノーマルモードにおいて緑色点灯していた状態表示部５４のＬＥＤは、使用者により電源スイッチがオフされると、主制御部４１の制御により橙（オレンジ）色点滅する。この間、主制御部４１は、光源ランプ２１１Ａを消灯および冷却させる。
この光源ランプ２１１Ａが消灯され、当該光源ランプ２１１Ａの冷却が完了すると、主制御部４１により起動モードが判定され、スタンバイモードＡの場合は、システムコントローラ４５の制御により、主制御部４１の停止処理開始に伴ってＬＥＤが赤色点灯する。この後、システムコントローラ４５が主制御部４１の停止を確認すると、当該システムコントローラ４５の制御により、ＬＥＤは橙（オレンジ）色点灯する。この状態では、プロジェクタ１は、ノーマルモードからスタンバイモードＡに遷移している。
【００４５】
一方、スタンバイモードＢの場合は、詳しい図示を省略したが、光源ランプ２１１Ａの冷却が完了すると、主制御部４１の制御によりシステムコントローラ４５を介して、状態表示部５４のＬＥＤが緑色点滅する。この状態では、プロジェクタ１は、ノーマルモードからスタンバイモードＢに遷移している。
なお、これらスタンバイモードＡおよびスタンバイモードＢにおいて、電源ケーブルとコンセントとの接続が解除された場合には、電力供給停止により、ＬＥＤは消灯する。
【００４６】
（６）起動時の状態報知処理ＳＢ，ＳＣ
図６および図７は、プロジェクタ１の起動処理時のシステムコントローラ４５および主制御部４１の状態報知処理ＳＢ，ＳＣの処理フローを示す図である。詳述すると、図６および図７は、無通電状態からスタンバイモードＡまたはスタンバイモードＢを介してノーマルモードに遷移する際の処理フローを示す図である。なお、これら図６および図７において、報知信号出力処理ＳＸの実行箇所に括弧書きで１〜４の符号を付したが、これらは、各実行箇所において同様の処理が行われるものの、処理結果が異なるため、これらを区別するために付したものである。
プロジェクタ１の動作状態の遷移は、状態表示部５４およびブザー５５により遷移状態を報知しつつ行われる。この状態報知は、システムコントローラ４５および主制御部４１によって制御される。
ここで、電力供給がなされていない無通電状態からノーマルモードに遷移する際の状態報知処理ＳＢ，ＳＣ、すなわち、起動時の状態報知処理ＳＢ，ＳＣを、以下に説明する。
【００４７】
図６に示すように、電源ケーブルがコンセントに接続され（処理ＳＡ１）、プロジェクタ１への電力供給が開始されると、システムコントローラ４５は、ＲＯＭ４３に記憶された起動モードを参照し（処理ＳＢ１）、プロジェクタ１をスタンバイモードＡで起動するか、あるいは、スタンバイモードＢで起動するかの判定を行う（処理ＳＢ２）。
ここで、使用者によって設定されていた起動モードが、スタンバイモードＢであると判定した場合は、システムコントローラ４５は、後述する処理ＳＢ６に移行する。
一方、使用者によって設定されていた起動モードが、スタンバイモードＡであると判定した場合は、システムコントローラ４５は、報知信号出力処理ＳＸを実行する。
【００４８】
図８は、報知信号出力処理ＳＸの処理フローを示す図である。
システムコントローラ４５は、必要に応じて、報知信号出力プログラムをＲＯＭ４３から読み出して、報知信号出力処理ＳＸを実行する。この報知信号出力処理ＳＸは、システムコントローラ４５が主制御部４１および光源ランプ２１１Ａの動作状態を検出し、当該動作状態に基づいてＲＯＭ４３に記憶された報知信号テーブルを参照し、前述の状態表示部５４およびブザー５５に報知信号を出力する処理である。
【００４９】
報知信号出力プログラムを実行すると、図８に示すように、システムコントローラ４５の状態判定部４５１は、主制御部４１が起動済みか否かを判定する（処理ＳＸ１）。
ここで、状態判定部４５１が、主制御部４１が起動済みでないと判定した場合は、当該主制御部４１の起動処理中であるか否かを判定する（処理ＳＸ２）。
この処理ＳＸ２において、状態判定部４５１が、主制御部４１が起動処理中であると判定した場合は、当該状態判定部４５１は、主制御部４１およびプロジェクタ１の動作状態を示すステータス値に「１」を設定し、当該ステータス値をＲＡＭ４４に一時的に記憶させる（処理ＳＸ３）。
一方、状態判定部４５１が、主制御部４１が起動処理中でないと判定した場合は、当該状態判定部４５１は、主制御部４１のステータス値に「２」を設定し、当該ステータス値をＲＡＭ４４に一時的に記憶させる（処理ＳＸ４）。
これら処理ＳＸ３，ＳＸ４の後、システムコントローラ４５は、処理ＳＸ１２に移行する。
【００５０】
一方、処理ＳＸ１における判定処理で、システムコントローラ４５の状態判定部４５１が、主制御部４１が起動済みであると判定した場合は、当該状態判定部４５１は、主制御部４１が停止処理中であるか否かを判定する（処理ＳＸ５）。
ここで、状態判定部４５１が、主制御部４１が停止処理中であると判定した場合は、前述のステータス値に「１」を設定し（処理ＳＸ６）、当該ステータス値をＲＡＭ４４に一時的に記憶させた後、システムコントローラ４５は、処理ＳＸ１２に移行する。
【００５１】
また、処理ＳＸ５における判定処理で、状態判定部４５１が、主制御部４１が停止処理中でないと判定した場合は、当該状態判定部４５１は、主制御部４１から入力する状態信号に基づいて、光源ランプ２１１Ａの点灯が完了して安定化しているか否かを判定する（処理ＳＸ７）。
ここで、状態判定部４５１が、光源ランプ２１１Ａの点灯が完了し、安定化していると判定した場合は、当該状態判定部４５１は、ステータス値に「５」を設定し（処理ＳＸ８）、当該ステータス値をＲＡＭ４４に一時的に記憶させた後、システムコントローラ４５は、処理ＳＸ１２に移行する。
【００５２】
一方、処理ＳＸ７における判定処理で、状態判定部４５１が、光源ランプ２１１Ａの点灯が完了していない、または、点灯が安定化していないと判定した場合は、光源ランプ２１１Ａの点灯準備中であるか否かを判定する（処理ＳＸ９）。
ここで、状態判定部４５１が、光源ランプ２１１Ａが点灯準備中でない、すなわち、光源ランプ２１１Ａの点灯中でなく冷却中であると判定した場合は、当該状態判定部４５１は、ステータス値に「３」を設定し（処理ＳＸ１０）、当該ステータス値をＲＡＭ４４に一時的に記憶させた後、システムコントローラ４５は、処理ＳＸ１２に移行する。
また、状態判定部４５１が、光源ランプ２１１Ａが点灯準備中である、すなわち、光源ランプ２１１Ａの点灯が開始されているものの安定化状態まで至っていない、または、光源ランプ２１１Ａの点灯が可能であるが点灯されていないと判定した場合は、当該状態判定部４５１は、ステータス値に「４」を設定し（処理ＳＸ１１）、当該ステータス値をＲＡＭ４４に一時的に記憶させた後、システムコントローラ４５は、処理ＳＸ１２に移行する。
【００５３】
処理ＳＸ１２では、システムコントローラ４５の信号生成部４５２は、前述の処理ＳＸ３，ＳＸ４，ＳＸ６，ＳＸ８，ＳＸ１０，ＳＸ１１によりＲＡＭ４４に記憶されたステータス値に基づいて、以下に示す報知信号テーブルを参照する（処理ＳＸ１２）。そして、信号生成部４５２は、報知信号テーブルに設定された状態表示部用報知信号およびブザー用報知信号の内容情報を取得し、当該内容情報に応じた報知信号を生成する（処理ＳＸ１３）。この後、システムコントローラ４５の信号出力部４５３は、生成された報知信号のうち、状態表示部用報知信号を状態表示部５４に出力し、ブザー用報知信号をブザー５５に出力する（処理ＳＸ１４）。
これにより、状態表示部５４は、当該状態表示部用報知信号に応じた色のＬＥＤを点灯／点滅させ、ブザー５５は、当該ブザー用報知信号に応じた音階のブザー音を出力する。
以上により、報知信号出力処理ＳＸが終了する。
【００５４】
【表１】
2006301300.tif 000003
【００５５】
ここで、報知信号テーブルについて説明する。
報知信号テーブルは、前述のようにＲＯＭ４３に記憶されており、当該報知信号テーブルには、表１に示すように、各ステータス値に応じて、状態表示部５４に出力する状態表示部用報知信号の内容情報、および、ブザー５５に出力するブザー用報知信号の内容情報が設定されている。
具体的に、ステータス値が、主制御部４１が起動／停止処理中であることを示す「１」である場合は、状態表示部用報知信号の内容情報として、ＬＥＤの赤色点灯が設定され、また、ブザー用報知信号の内容情報として、音階レベル５のブザー音出力が設定されている。
ステータス値が、主制御部４１が停止状態であることを示す「２」である場合は、状態表示部用報知信号の内容情報として、ＬＥＤの橙色点灯が設定され、また、ブザー用報知信号の内容情報として、音階レベル２のブザー音出力が設定されている。
【００５６】
ステータス値が、主制御部４１が起動し、光源ランプ２１１Ａが冷却中であることを示す「３」である場合は、状態表示部用報知信号の内容情報として、ＬＥＤの橙色点滅が設定され、また、ブザー用報知信号の内容情報として、音階レベル４のブザー音出力が設定されている。
ステータス値が、主制御部４１が起動し、光源ランプ２１１Ａの点灯が開始され、当該点灯が安定化するのを待機している状態、または、スタンバイモードＢにおいて、主制御部４１が起動し、電源スイッチの入力を待機している状態であることを示す「４」である場合は、状態表示部用報知信号の内容情報として、ＬＥＤの緑色点滅が設定され、また、ブザー用報知信号の内容情報として、音階レベル３のブザー音出力が設定されている。
ステータス値が、主制御部４１が起動し、光源ランプ２１１Ａの点灯が安定している状態であることを示す「５」である場合は、状態表示部用報知信号の内容情報として、ＬＥＤの緑色点灯が設定され、また、ブザー用報知信号の内容情報として、音階レベル１のブザー音出力が設定されている。
なお、各ステータス値に対応するＬＥＤの発色および点灯態様、および、ブザー５５による音声出力の音階レベル等は、適宜変更してよい。
【００５７】
このような報知信号テーブルをＲＯＭ４３に記憶させ、報知信号生成する場合に、当該報知信号テーブルを参照することにより、システムコントローラ４５が動作状態の各判定段階で信号生成を行わずに済むので、当該システムコントローラの処理を軽減することができる。また、本実施形態では、報知手段として状態表示部５４およびブザー５５を設けたが、これらの他に他の報知手段を備える構成とした場合でも、報知信号テーブルの項目を追加するだけで、当該新たな報知手段に応じた報知信号を生成することができるので、汎用性を広げることができる。さらに、主制御部４１およびプロジェクタ１の動作状態を示すステータス値をより詳細に分けることにより、より細かな動作状態を報知することができる。この場合においても、報知信号テーブルの項目を増やすことで対応できるので、システムコントローラ４５の処理を軽減でき、かつ、使用者に詳細な動作状態を報知することができる。
【００５８】
以上のように、図６における処理ＳＢ２の後の報知信号出力処理ＳＸ（１）では、主制御部４１が起動しておらず、また、当該主制御部４１は起動処理中でないため、ステータス値が「２」となり、状態表示部５４には、当該状態表示部５４のＬＥＤを橙色点灯させる報知信号が出力され、ブザー５５には、音階レベル２のブザー音を出力させる報知信号が出力される。そして、これに応じて、状態表示部５４のＬＥＤは橙色点灯し、ブザー５５は、音階レベル２のブザー音を出力する。
この後、システムコントローラ４５は、電源スイッチのオンに対応する制御信号がリモコンインターフェース５２または操作パネル５３から入力することを待機しつつ（処理ＳＢ３）、当該制御信号の入力の有無を判定する（処理ＳＢ４）
【００５９】
ここで、システムコントローラ４５が、電源スイッチのオンに対応する制御信号の入力を検出しなかった場合は、処理ＳＢ３に戻り、当該制御信号の入力待機を継続する。
一方、使用者により電源スイッチがオンされ（処理ＳＡ２）、システムコントローラ４５が、電源スイッチのオンに対応する制御信号の入力を検出した場合は、当該システムコントローラ４５の起動／停止実行部４５４は、バスＢを介して主制御部４１に起動信号を生成、出力する（処理ＳＢ５）。この後、システムコントローラ４５は、報知信号出力プログラムを呼び出して、再び報知信号出力処理ＳＸ（２）を実行する。
【００６０】
この報知信号出力処理ＳＸ（２）では、主制御部４１の起動が完了しておらず、また、当該主制御部４１は起動処理中であるため、ステータス値が「１」となり、状態表示部５４には、当該状態表示部５４のＬＥＤを赤色点灯させる報知信号が出力され、ブザー５５には、音階レベル５のブザー音を出力させる報知信号が出力される。そして、これに応じて、状態表示部５４のＬＥＤは赤色点灯し、ブザー５５は、音階レベル５のブザー音を出力する。
【００６１】
一方、主制御部４１は、処理ＳＡ１により電力供給が開始されると、システムコントローラ４５からの起動信号の入力を待機しつつ（処理ＳＣ１）、当該起動信号が入力したか否かを判定する（処理ＳＣ２）。
ここで、主制御部４１が、起動信号の入力を検出しない場合には、処理ＳＣ１に戻り、信号入力待機を継続する。
一方、主制御部４１が、システムコントローラ４５の起動／停止実行部４５４からの起動信号の入力を検出した場合には、図７に示すように、自己（主制御部４１）を起動する（処理ＳＣ３）。この際、主制御部４１は、当該起動処理ＳＣ３が完了したか否かを判定しており（処理ＳＣ４）、完了していない場合には、処理ＳＣ３に戻って起動処理を継続する。また、起動処理が完了した場合には、主制御部４１は、システムコントローラ４５に対して、主制御部４１の起動完了および状態報知指示を示す状態信号を出力する（処理ＳＣ５）。
【００６２】
ここで、図６における報知信号出力処理ＳＸ（２）の後、システムコントローラ４５は、図７に示すように、主制御部４１から状態信号が入力するのを待機しつつ（処理ＳＢ６）、当該状態信号が入力したか否かを判定する（処理ＳＢ７）。この処理ＳＢ７において、システムコントローラ４５が、状態信号の入力を検出しなかった場合は、処理ＳＢ６に戻り、状態信号の入力待機を継続する。
【００６３】
一方、入力した状態信号が主制御部４１の起動完了を示す信号であると判定した場合には、システムコントローラ４５は、報知信号出力処理ＳＸ（３）を呼び出して実行する。この報知信号出力処理ＳＸ（３）では、主制御部４１が起動状態であるものの、光源ランプ２１１Ａの点灯が準備段階、すなわち、光源ランプ２１１Ａの点灯が可能であるが点灯開始がなされていないので、ステータス値に「４」が設定される。そして、状態表示部５４には、当該状態表示部５４のＬＥＤを緑色点滅させる報知信号が出力され、ブザー５５には、音階レベル３のブザー音を出力させる報知信号が出力される。そして、これに応じて、状態表示部５４のＬＥＤは緑色点滅し、ブザー５５は、音階レベル３のブザー音を出力する。
【００６４】
一方、前述の処理ＳＣ５により状態信号を出力した主制御部４１は、ＲＯＭ４３に記憶された起動モードを参照し（処理ＳＣ６）、起動モードがスタンバイモードＡであるか、スタンバイモードＢであるかを判定する（処理ＳＣ７）。
ここで、スタンバイモードＡであると判定した場合には、主制御部４１は、後述する処理ＳＣ１０に移行し、光源ランプ２１１Ａの点灯を開始させる。
また、スタンバイモードＢであると判定した場合には、主制御部４１は、システムコントローラ４５からの検出信号の入力を待機する（処理ＳＣ８）。
【００６５】
一方、システムコントローラ４５は、報知信号出力処理ＳＸ（３）の後、再び、起動モードを判定し（処理ＳＢ８）、当該起動モードがスタンバイモードＡである場合に、後述する処理ＳＢ１２に移行して、主制御部４１からの状態信号の入力を待機する。
また、起動モードがスタンバイモードＢである場合に、システムコントローラ４５は、使用者により電源スイッチがオンされるのを待機し（処理ＳＢ９）、電源スイッチのオンに対応する制御信号がリモコンインターフェース５２または操作パネル５３から入力したか否かを判定する（処理ＳＢ１０）。この状態が、スタンバイモードＢとなる。
【００６６】
ここで、システムコントローラ４５が。電源スイッチのオンに対応する制御信号の入力を検出しなかった場合、当該システムコントローラ４５は、処理ＳＢ９に戻って、信号入力待機を継続する。
一方、使用者により電源スイッチがオンされ（処理ＳＡ３）、システムコントローラ４５が、電源スイッチのオンに対応する制御信号の入力を検出すると、当該システムコントローラ４５は、電源スイッチがオンされた旨の検出信号を生成し、当該検出信号を主制御部４１に出力する（処理ＳＢ１１）。この後、システムコントローラ４５は、主制御部４１からの信号入力を待機する（処理ＳＢ１２）。
【００６７】
処理ＳＣ８において、信号入力待機状態にある主制御部４１は、システムコントローラ４５から検出信号が入力したか否かを判定する（処理ＳＣ９）。この処理ＳＣ９において、当該検出信号の入力を検出していないと判定した場合は、処理ＳＢ８に戻り、再び当該検出信号の入力を待機する。
一方、システムコントローラ４５から検出信号が入力したと判定した場合、または、処理ＳＣ７において起動モードがスタンバイモードＡであると判定した場合、主制御部４１は、光源駆動回路３を介して、光源ランプ２１１Ａの点灯を開始する（処理ＳＣ１０）。
【００６８】
この処理ＳＣ１０の後、主制御部４１は、光源ランプ２１１Ａの点灯状態を監視しつつ（処理ＳＣ１１）、光源ランプ２１１Ａの点灯が安定化したか否かを判定する（処理ＳＣ１２）。
ここで、主制御部４１が、光源ランプ２１１Ａの点灯が安定していないと判定した場合には、当該主制御部４１は、処理ＳＣ７に戻り、光源ランプ２１１Ａの点灯状態の監視を継続する。
また、主制御部４１が、光源ランプ２１１Ａの点灯が安定したと判定した場合には、当該主制御部４１は、光源ランプ２１１Ａの点灯安定および状態報知指示を示す状態信号を、システムコントローラ４５に出力し（処理ＳＣ１３）、プロジェクタ１の起動処理における主制御部４１の状態報知処理ＳＣを終了する。
【００６９】
一方、処理ＳＢ１２において信号入力待機状態にあったシステムコントローラ４５は、主制御部４１からの信号入力の有無を判定し、信号入力が検出された場合には、当該入力信号が光源ランプ２１１Ａの点灯が安定したことを示す状態信号であるか否かを判定する（処理ＳＢ１３）。
ここで、信号入力を検出しなかった場合、および、入力した状態信号が、光源ランプ２１１Ａの点灯安定を示す信号でないと判定した場合、システムコントローラ４５は、処理ＳＢ１２に戻って、信号入力待機を継続する。
【００７０】
一方、入力した状態信号が、光源ランプ２１１Ａの点灯安定を示す信号であると判定した場合には、システムコントローラ４５は、報知信号出力処理ＳＸ（４）を実行する。
この報知信号出力処理ＳＸ（４）では、主制御部４１が起動状態であり、光源ランプ２１１Ａの点灯が安定しているので、ステータス値に「５」が設定される。そして、状態表示部５４には、当該状態表示部５４のＬＥＤを緑色点灯させる報知信号が出力され、ブザー５５には、音階レベル１のブザー音を出力させる報知信号が出力される。そして、これに応じて、状態表示部５４のＬＥＤは緑色点灯し、ブザー５５は、音階レベル１のブザー音を出力する。
以上により、プロジェクタ１の起動時におけるシステムコントローラ４５の状態報知処理ＳＢを終了する。
【００７１】
（７）停止時の状態報知処理ＳＥ，ＳＦ
次に、ノーマルモードから電源スイッチがオフされてスタンバイモードＡまたはスタンバイモードＢに遷移する際の状態報知処理Ｓについて説明する。
図９および図１０は、プロジェクタ１の停止処理時のシステムコントローラ４５および主制御部４１の状態報知処理ＳＥ，ＳＦの処理フローを示す図である。なお、これら図９および図１０において、報知信号出力処理ＳＸの実行箇所に括弧書きで５〜７の符号を付したが、これらは、各実行時には同様の処理が行われるものの、処理結果が異なるため、これらを明確に区別するために付したものである。
ここで、プロジェクタ１の状態がノーマルモードからスタンバイモードＡまたはスタンバイモードＢに遷移する際の状態報知処理、すなわち、停止時の状態報知処理ＳＥ，ＳＦを以下に説明する。
【００７２】
図９に示すように、プロジェクタ１がノーマルモードで駆動している場合は、システムコントローラ４５は、リモコンインターフェース５２および操作パネル５３から電源をオフする制御信号が入力するのを待機しつつ（処理ＳＥ１）、当該信号の入力があるか否かを判定している（処理ＳＥ２）。
ここで、電源をオフする制御信号が入力していないと判定した場合には、システムコントローラ４５は、処理ＳＥ１に戻って、信号入力待機を継続する。
一方、使用者により電源スイッチがオフされ（処理ＳＤ１）、リモコンインターフェース５２または操作パネル５３から電源をオフする信号が入力したと判定した場合には、システムコントローラ４５の起動／停止実行部４５４は、主制御部４１に対して、当該主制御部４１を停止させる停止信号を出力する（処理ＳＥ３）。
【００７３】
この処理ＳＥ３の後、システムコントローラ４５は、報知信号出力プログラムを読み込んで、報知信号出力処理ＳＸ（５）を実行する。この報知信号出力処理ＳＸ（５）では、主制御部４１が起動状態であるものの、後述する主制御部４１による処理ＳＦ４により光源ランプ２１１Ａが消灯されるので、ステータス値に「３」が設定される。そして、状態表示部５４には、当該状態表示部５４のＬＥＤを橙色点滅させる報知信号が出力され、ブザー５５には、音階レベル４のブザー音を出力させる報知信号が出力される。そして、これに応じて、状態表示部５４のＬＥＤは橙色点滅し、ブザー５５は、音階レベル４のブザー音を出力する。
この処理ＳＸ（５）の後、システムコントローラ４５は、主制御部４１からの状態信号の入力を待機する（処理ＳＥ４）。
【００７４】
一方、主制御部４１は、システムコントローラ４５から制御信号が入力するのを待機しており（処理ＳＦ１）、当該制御信号の入力があるか否かを判定する（処理ＳＦ２）。
ここで、主制御部４１が制御信号の入力を検出しない場合には、処理ＳＦ１に戻り、制御信号の入力待機を継続する。
また、主制御部４１が制御信号の入力を検出した場合には、当該制御信号が停止信号であるか否かを判定する（処理ＳＦ３）。
この処理ＳＦ３において、主制御部４１が、当該制御信号が停止信号ではないと判定した場合には、入力した制御信号を処理した後、再び処理ＳＦ１に戻り、制御信号の入力を待機する。
一方、主制御部４１が、入力した制御信号が停止信号であると判定した場合は、当該主制御部４１は、光源駆動回路３に制御信号を出力して、光源ランプ２１１Ａを消灯させ（処理ＳＦ４）、図示しないファンを駆動して光源ランプ２１１Ａを冷却する。
【００７５】
この処理ＳＦ４の後、主制御部４１は、光源駆動回路３に設けられた温度検出センサの情報に基づいて、光源ランプ２１１Ａの温度を監視するとともに（処理ＳＦ５）、当該光源ランプ２１１Ａの温度が閾値以下か否かを判定する（処理ＳＦ６）。なお、この閾値は、光源ランプ２１１Ａの破損が起きない温度とすることができ、適宜設定してよい。
ここで、主制御部４１が、光源ランプ２１１Ａの温度が閾値以上であると判定した場合は、当該主制御部４１は、処理ＳＦ５に戻り、当該光源ランプ２１１Ａの温度監視を継続する。
一方、主制御部４１が、光源ランプ２１１Ａの温度が閾値以下まで下がったと判定した場合には、当該主制御部４１は、システムコントローラ４５に、光源ランプ２１１Ａの冷却が完了し、主制御部４１が停止処理中であること、および、当該主制御部４１の状態遷移を報知することを示す状態信号を出力し（処理ＳＦ７）、図１０に示すように、自己である主制御部４１の停止処理を実行する（処理ＳＦ８）。
【００７６】
ここで、図９に示すように、処理ＳＥ４により、信号入力待機状態にあったシステムコントローラ４５は、主制御部４１から状態信号の入力があるか否かを判定する（処理ＳＥ５）。
ここで、状態信号の入力が検出されなかった場合には、システムコントローラ４５は、処理ＳＥ４に戻って、状態信号の入力待機状態を継続する。
一方、状態信号の入力が検出された場合には、システムコントローラ４５は、図１０に示すように、ＲＯＭ４３に記憶された起動モードを参照して（処理ＳＥ６）、起動モードがスタンバイモードＡであるかスタンバイモードＢであるかを判定する（処理ＳＥ７）。
【００７７】
ここで、システムコントローラ４５が、起動モードがスタンバイモードＢであると判定した場合、当該システムコントローラ４５は、報知信号出力プログラムを読み込んで、報知信号出力処理ＳＸ（６）を実行する。
この報知信号出力処理ＳＸ（６）では、状態信号から主制御部４１は稼動中であり、光源ランプ２１１Ａは消灯されていると判定されるため、ステータス値には「４」が設定される。そして、状態表示部５４には、当該状態表示部５４のＬＥＤを緑色点滅させる報知信号が出力され、ブザー５５には、音階レベル３のブザー音を出力させる報知信号が出力される。そして、これに応じて、状態表示部５４のＬＥＤは緑色点滅し、ブザー５５は、音階レベル３のブザー音を出力する。この状態では、プロジェクタ１は、スタンバイモードＢとなり、システムコントローラ４５は、スタンバイモードＢでの停止時の状態報知処理ＳＥを終了する。
【００７８】
一方、処理ＳＥ７の判定において、システムコントローラ４５が、起動モードがスタンバイモードＡであると判定して場合、当該システムコントローラ４５は、当該システムコントローラ４５は、信号生成部４５２により主制御部４１を停止させる停止信号を生成し、信号出力部４５３により当該停止信号を主制御部４１に出力する（処理ＳＥ８）。
【００７９】
主制御部４１は、図９において示した処理ＳＦ７における状態信号の出力の後、図１０に示すように、ＲＯＭ４３に記憶された起動モードを参照して（処理ＳＦ８）、当該起動モードの種別を判定する（処理ＳＦ９）。
ここで、主制御部４１が、起動モードがスタンバイモードＢであると判定した場合、現在のプロジェクタ１の状態がスタンバイモードＢとなっているので、当該主制御部４１は、スタンバイモードＢでの停止時の状態報知処理ＳＦを終了する。
【００８０】
一方、起動モードがスタンバイモードＡであると判定した場合、主制御部４１は、システムコントローラ４５からの信号入力を待機し（処理ＳＦ１０）、信号入力が検出された場合に、当該入力信号が停止信号であるか否かを判定する（処理ＳＦ１１）。
この処理ＳＦ１１において、主制御部４１が、停止信号の入力を検出しなかった場合、当該主制御部４１は、処理ＳＦ１０に戻り、信号入力待機を継続する。
これに対し、主制御部４１が、停止信号の入力を検出した場合、当該主制御部４１は、自己を停止させる（処理ＳＦ１２）。
【００８１】
ここで、処理ＳＥ８にて、停止信号を出力したシステムコントローラ４５は、報知信号出力プログラムを読み込んで、報知信号出力処理ＳＸ（７）を実行する。この報知信号出力処理ＳＸ（７）では、システムコントローラ４５は、主制御部４１が停止処理中であると判定し、光源ランプ２１１Ａの消灯が検出されているため、ステータス値に「１」を設定する。そして、システムコントローラ４５は、状態表示部５４に、当該状態表示部５４のＬＥＤを赤色点灯させる報知信号を出力し、ブザー５５に、音階レベル５のブザー音を出力させる報知信号を出力する。そして、これに応じて、状態表示部５４のＬＥＤは赤色点灯し、ブザー５５は、音階レベル５のブザー音を出力する。
この処理ＳＸ（７）の後、システムコントローラ４５は、主制御部４１に対して、主制御部４１の状態を問い合わせる応答要求信号を出力し（処理ＳＥ９）、当該応答要求信号出力から所定時間を待機する（処理ＳＥ１０）。なお、この待機時間は適宜設定してよい。
【００８２】
ここで、処理ＳＦ１２により停止処理中の主制御部４１は、停止処理の経過を監視しており、当該停止処理が完了したか否かを判定する（処理ＳＦ１３）。
この際、停止処理が完了していないと判定した場合は、システムコントローラ４５から応答要求信号が入力したか否かを判定する（処理ＳＦ１４）。ここで、応答要求信号を検出しなかった場合は、主制御部４１は処理ＳＦ１２に戻って、停止処理を継続する。また、主制御部４１の停止処理中に応答要求信号を検出した場合は、主制御部４１は、システムコントローラ４５に対して、停止処理が継続中である旨の応答信号を出力し（処理ＳＦ１５）、再び、処理ＳＦ１２に戻って停止処理を継続する。
さらに、停止処理が完了している場合、主制御部４１の状態は、スタンバイモードＡの状態となり、当該主制御部４１は、そのまま停止処理および状態報知処理ＳＦを終了する。
【００８３】
処理ＳＥ１０において、応答要求信号出力から所定時間待機したシステムコントローラ４５は、主制御部４１からの応答信号の入力が検出されたか否かを判定する（処理ＳＥ１１）。
ここで、応答信号の入力を検出した場合には、システムコントローラ４５は、処理ＳＥ９に戻り、再び応答要求信号を主制御部４１に出力する。
一方、応答信号の入力を検出しなかった場合には、システムコントローラ４５は、報知信号出力プログラムを読み込んで、報知信号出力処理ＳＸ（８）を実行する。
【００８４】
この報知信号出力処理ＳＸ（８）では、主制御部４１は停止していると判定され、起動／停止実行部４５４が起動信号を出力していないため、起動処理中にはないと判定されるので、システムコントローラ４５の状態判定部４５１は、ステータス値に「２」を設定する。そして、当該システムコントローラ４５は、状態表示部５４に対して、当該状態表示部５４のＬＥＤを橙色点灯させる報知信号を生成出力し、ブザー５５に対して、音階レベル２のブザー音を出力させる報知信号を生成出力する。そして、これに応じて、状態表示部５４のＬＥＤは橙色点灯し、ブザー５５は、音階レベル２のブザー音を出力する。
以上により、システムコントローラ４５は停止時の状態報知処理ＳＥを終了し、これにより、プロジェクタ１は、スタンバイモードＡとなる。
【００８５】
以上説明した本実施形態のプロジェクタ１によれば、以下の効果を奏することができる。
すなわち、システムコントローラ４５の状態判定部４５１が、主制御部４１の動作状態および光源ランプ２１１Ａの駆動状態を判定し、信号生成部４５２が、それぞれの状態に応じた報知信号を生成し、信号出力部４５３が、生成した報知信号を状態表示部５４およびブザー５５に出力する。そして、状態表示部５４は、入力する報知信号に基づいて、ＬＥＤの色および点灯状態の切り替えを行い、またブザー５５は、同じく入力する報知信号に基づいて、出力するブザー音の音階を切り替える。
これによれば、状態表示部５４のＬＥＤの点灯状態およびブザー５５の出力音を確認することで、プロジェクタ１の動作状態を確認することができる。特に、主制御部４１の起動／停止処理中は、使用者による操作を受け付けないが、この場合、状態表示部５４のＬＥＤを赤色点灯し、また、ブザー５５によって出力されるブザー音の音階レベルを５としていることから、主制御部４１が操作を受け付けない期間を容易に確認することができる。従って、プロジェクタ１の、特に主制御部４１の動作状態を容易に確認することができる。
【００８６】
また、主制御部４１が起動している場合には、主制御部４１からの状態信号に基づいてシステムコントローラ４５が報知信号を生成する。すなわち、主制御部４１からの報知指示によって、システムコントローラ４５における報知信号の生成が行われ、当該報知信号が状態表示部５４およびブザー５５に出力される。これによれば、主制御部４１の制御により、状態表示部５４およびブザー５５が状態を報知することとなるので、主制御部４１の動作状態を反映した報知を迅速に行うことができる。従って、使用者による操作が許容される状態に主制御部４１が遷移したことを、迅速かつ確実に報知することができる。
【００８７】
（８）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００８８】
前記実施形態では、プロジェクタ１は、報知手段として、ＬＥＤを有する状態表示部５４およびブザー５５を備えるとしたが、本発明はこれらに限定されるものではない。すなわち、文字等が表示される状態表示部としてもよく、ブザー５５の代わりに音声ガイダンスで動作状態を説明するスピーカを設けてもよい。また、これらの構成に代えて他の報知手段を設けてもよく、また、これらを新たに追加するようにしてもよい。さらに、状態表示部５４およびブザー５５のうちのいずれか１つを備える構成としてもよい。
【００８９】
前記実施形態では、状態報知処理は、プロジェクタ１の停止状態から起動状態への状態遷移時、および、起動状態から停止状態への状態遷移時に行われるとしたが、本発明はこれらのうち、少なくともいずれかの状態遷移時に行われればよい。また、前述の他のモード切替時に行われるように構成してもよい。
【００９０】
前記実施形態では、プロジェクタ１の動作状態、詳述すると、主制御部４１と光源ランプ２１１Ａの動作状態を示すステータス値と、当該ステータス値に応じた報知信号の内容情報とが対応した報知信号テーブルを備えるとしたが、本発明はこれに限らず、システムコントローラ４５の信号生成部４５２が、報知信号テーブルを参照せずに、それぞれの状態に応じて信号生成するようにしてもよい。なお、報知信号テーブルを設け、信号生成部４５２が、当該テーブルを参照して報知信号を生成するようにすれば、システムコントローラ４５の処理を軽減できるほか、より詳細な動作状態を報知することができる。
【００９１】
前記実施形態では、主制御部４１の動作状態、および、光源ランプ２１１Ａの点灯状態に応じて、システムコントローラ４５が報知信号を生成して、生成した報知信号を状態表示部５４およびブザー５５に出力するとしたが、本発明はこれに限定されるものではない。すなわち、本発明は、少なくとも主制御部４１の動作状態を報知するように構成されていればよい。
【００９２】
前記実施形態では、光学ユニット２が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル２４１を用いていたが、光入射面と光射出面とが同一となる反射型の液晶パネルを用いてもよい。
さらに、前記実施形態では、３つの液晶パネル２４１（２４１Ｒ，２４１Ｇ，２４１Ｂ）を用いたプロジェクタ１の例のみを挙げたが、３つ未満、あるいは、４つ以上の液晶パネルを用いたプロジェクタにも適用可能である。
【００９３】
前記実施形態では、光変調装置としての液晶パネルを備えたプロジェクタ１を例示したが、入射光束を画像情報に応じて変調して光学像を形成する光学変調装置であれば、他のものでもよい。例えば、マイクロミラーを用いたデバイスなど、液晶層以外の光学変調素子を用いたプロジェクタにも、本発明を適用することも可能である。この場合、光束入射側および光束射出側の偏光板は、省略することができる。
【００９４】
前記実施形態では、画像表示装置として、スクリーンを観察する方向から画像投射を行なうフロントタイプのプロジェクタを挙げたが、本発明は、スクリーンを観察する方向とは反対側から画像投射を行なうリアタイプのプロジェクタにも適用可能である。
また、画像表示装置としては、プロジェクタに限らず、プラズマディスプレイや、液晶ディスプレイであってもよく、また、ＣＲＴ（Cathode Ray Tube）ディスプレイでもよい。この場合、光源ランプ２１１Ａの点灯状態の監視等の処理は省略できる。
【産業上の利用可能性】
【００９５】
本発明は、装置全体を制御する主制御系と、当該主制御系を補助する副制御系とを有する制御手段を備えた画像表示装置に好適に利用できる。
【図面の簡単な説明】
【００９６】
【図１】本発明の一実施形態に係るプロジェクタの内部構成を示すブロック図。
【図２】前記実施形態における光学ユニットの光学系を示す模式図。
【図３】前記実施形態におけるシステムコントローラの機能分類を示すブロック図。
【図４】前記実施形態におけるプロジェクタの動作状態を説明する状態遷移図。
【図５】（Ａ）前記実施形態における起動時の状態表示部の点灯状態を示す図。              （Ｂ）前記実施形態における停止時の状態表示部の点灯状態を示す図。
【図６】前記実施形態における起動時のシステムコントローラおよび主制御部の状態報知処理の処理フローを示す図。
【図７】前記実施形態における起動時のシステムコントローラおよび主制御部の状態報知処理の処理フローを示す図。
【図８】前記実施形態における報知信号出力処理の処理フローを示す図。
【図９】前記実施形態における停止時のシステムコントローラおよび主制御部の状態報知処理の処理フローを示す図。
【図１０】前記実施形態における停止時のシステムコントローラおよび主制御部の状態報知処理の処理フローを示す図。
【符号の説明】
【００９７】
１…プロジェクタ（画像表示装置）、４…制御基板（制御手段）、４１…主制御部（主制御系）、４３…ＲＯＭ（記憶手段）、４５…システムコントローラ（副制御系）、５４…状態表示部（報知手段）、５５…ブザー（報知手段）、４５２…信号生成部、４５３…信号出力部。
【図１】
2006301300.tif 000004
【図２】
2006301300.tif 000005
【図３】
2006301300.tif 000006
【図４】
2006301300.tif 000007
【図５】
2006301300.tif 000008
【図６】
2006301300.tif 000009
【図７】
2006301300.tif 000010
【図８】
2006301300.tif 000011
【図９】
2006301300.tif 000012
【図１０】
2006301300.tif 000013